(57)【特許請求の範囲】
【請求項１】
少なくとも１つの端末装置と無線通信可能に構成された基地局装置であって、
予め設定された一部の期間において無線通信不能な待機状態に自装置の状態が設定され、且つ、他の期間において無線通信可能な通常状態に自装置の状態が設定されるパワーセーブモードにて作動する前記端末装置が送信先として設定された個別端末宛データを保持する個別端末宛データ保持手段と、
予め設定された報知信号送信間隔が経過する毎に、前記個別端末宛データを保持している場合に当該個別端末宛データを送信する予定である旨を表す送信予定情報を含む報知信号を、前記端末装置へ送信する報知信号送信手段と、
前記端末装置から、前記個別端末宛データの送信を要求する旨を表す制御信号を受信した場合、当該個別端末宛データを当該端末装置へ送信する個別端末宛データ送信手段と、
前記基地局装置との間で無線通信可能な前記端末装置のすべてが前記パワーセーブモードにて作動している場合において、前記個別端末宛データを保持していないとき、前記報知信号を送信してから、次に前記報知信号を送信するまでの期間における当該基地局装置の状態を、前記端末装置と無線通信不能な待機状態に設定し、前記基地局装置との間で無線通信可能な前記端末装置のすべてが前記パワーセーブモードにて作動している場合において、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定し、前記基地局装置との間で無線通信可能な前記端末装置のすべてが前記パワーセーブモードにて作動している場合において、前記基地局装置が前記待機状態に設定されている期間以外のすべての期間において、当該期間における当該基地局装置の状態を、前記端末装置と無線通信可能な通常状態に設定し、前記基地局装置との間で無線通信可能な前記端末装置のうちの少なくとも一つの前記端末装置がアクティブモードで作動している場合、前記端末装置と無線通信可能な通常状態に設定する制御手段と、
を備える基地局装置。
【請求項２】
請求項１に記載の基地局装置であって、
前記報知信号送信手段は、前記制御手段によって、前記基地局装置の状態が前記待機状態に設定される場合、その旨を表す待機予定情報を含む前記報知信号を、前記端末装置へ送信するように構成された基地局装置。
【請求項３】
請求項１又は請求項２に記載の基地局装置であって、
前記基地局装置との間で無線通信可能な前記端末装置のすべてが送信先として設定された全端末宛データを、前記報知信号送信間隔を整数倍した全端末宛データ送信間隔が経過する毎に、前記報知信号を送信してから、次に前記報知信号を送信するまでの期間である全端末宛データ送信期間にて送信する全端末宛データ送信手段を備え、
前記制御手段は、前記全端末宛データ送信期間において、前記基地局装置の状態を前記端末装置と無線通信可能な通常状態に設定するように構成された基地局装置。
【請求項４】
請求項１乃至請求項３のいずれかに記載の基地局装置であって、
インフラストラクチャモードにて作動する基地局装置。
【請求項５】
少なくとも１つの端末装置と無線通信可能に構成された基地局装置に適用され、
予め設定された一部の期間において無線通信不能な待機状態に自装置の状態が設定され、且つ、他の期間において無線通信可能な通常状態に自装置の状態が設定されるパワーセーブモードにて作動する前記端末装置が送信先として設定された個別端末宛データを保持し、
予め設定された報知信号送信間隔が経過する毎に、前記基地局装置が、前記個別端末宛データを保持している場合に当該個別端末宛データを送信する予定である旨を表す送信予定情報を含む報知信号を、前記端末装置へ送信し、
前記端末装置から、前記個別端末宛データの送信を要求する旨を表す制御信号を受信した場合、当該個別端末宛データを当該端末装置へ送信し、
前記基地局装置との間で無線通信可能な前記端末装置のすべてが前記パワーセーブモードにて作動している場合において、当該基地局装置が、前記個別端末宛データを保持していないとき、前記報知信号を送信してから、次に前記報知信号を送信するまでの期間における当該基地局装置の状態を、前記端末装置と無線通信不能な待機状態に設定し、前記基地局装置との間で無線通信可能な前記端末装置のすべてが前記パワーセーブモードにて作動している場合において、当該基地局装置が、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定し、前記基地局装置との間で無線通信可能な前記端末装置のすべてが前記パワーセーブモードにて作動している場合において、前記基地局装置が前記待機状態に設定されている期間以外のすべての期間において、当該期間における当該基地局装置の状態を、前記端末装置と無線通信可能な通常状態に設定し、前記基地局装置との間で無線通信可能な前記端末装置のうちの少なくとも一つの前記端末装置がアクティブモードで作動している場合、前記端末装置と無線通信可能な通常状態に設定する、基地局装置制御方法。
【請求項６】
少なくとも１つの端末装置と無線通信可能に構成された基地局装置に、
予め設定された一部の期間において無線通信不能な待機状態に自装置の状態が設定され、且つ、他の期間において無線通信可能な通常状態に自装置の状態が設定されるパワーセーブモードにて作動する前記端末装置が送信先として設定された個別端末宛データを保持し、
予め設定された報知信号送信間隔が経過する毎に、前記基地局装置が、前記個別端末宛データを保持している場合に当該個別端末宛データを送信する予定である旨を表す送信予定情報を含む報知信号を、前記端末装置へ送信し、
前記端末装置から、前記個別端末宛データの送信を要求する旨を表す制御信号を受信した場合、当該個別端末宛データを当該端末装置へ送信し、
前記基地局装置との間で無線通信可能な前記端末装置のすべてが前記パワーセーブモードにて作動している場合において、当該基地局装置が、前記個別端末宛データを保持していないとき、前記報知信号を送信してから、次に前記報知信号を送信するまでの期間における当該基地局装置の状態を、前記端末装置と無線通信不能な待機状態に設定し、前記基地局装置との間で無線通信可能な前記端末装置のすべてが前記パワーセーブモードにて作動している場合において、当該基地局装置が、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定し、前記基地局装置との間で無線通信可能な前記端末装置のすべてが前記パワーセーブモードにて作動している場合において、前記基地局装置が前記待機状態に設定されている期間以外のすべての期間において、当該期間における当該基地局装置の状態を、前記端末装置と無線通信可能な通常状態に設定し、前記基地局装置との間で無線通信可能な前記端末装置のうちの少なくとも一つの前記端末装置がアクティブモードで作動している場合、前記端末装置と無線通信可能な通常状態に設定する、処理を実行させるための基地局装置制御プログラム。
【請求項７】
少なくとも１つの端末装置と、当該端末装置と無線通信可能に構成された基地局装置と、を備える無線通信システムであって、
前記端末装置は、予め設定された一部の期間において無線通信不能な待機状態に自装置の状態が設定され、且つ、他の期間において無線通信可能な通常状態に自装置の状態が設定されるパワーセーブモードにて作動するように構成され、
前記基地局装置は、
前記パワーセーブモードにて作動する前記端末装置が送信先として設定された個別端末宛データを保持する個別端末宛データ保持手段と、
予め設定された報知信号送信間隔が経過する毎に、前記個別端末宛データを保持している場合に当該個別端末宛データを送信する予定である旨を表す送信予定情報を含む報知信号を、前記端末装置へ送信する報知信号送信手段と、
を備え、
前記端末装置は、更に、
前記基地局装置から前記報知信号を受信した場合において、当該報知信号が前記送信予定情報を含むとき、前記個別端末宛データの送信を要求する旨を表す制御信号を前記基地局装置へ送信する制御信号送信手段を備え、
前記基地局装置は、更に、
前記端末装置から前記制御信号を受信した場合、前記保持している個別端末宛データを当該端末装置へ送信する個別端末宛データ送信手段と、
前記基地局装置との間で無線通信可能な前記端末装置のすべてが前記パワーセーブモードにて作動している場合において、前記個別端末宛データを保持していないとき、前記報知信号を送信してから、次に前記報知信号を送信するまでの期間における当該基地局装置の状態を、前記端末装置と無線通信不能な待機状態に設定し、前記基地局装置との間で無線通信可能な前記端末装置のすべてが前記パワーセーブモードにて作動している場合において、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定し、前記基地局装置との間で無線通信可能な前記端末装置のすべてが前記パワーセーブモードにて作動している場合において、前記基地局装置が前記待機状態に設定されている期間以外のすべての期間において、当該期間における当該基地局装置の状態を、前記端末装置と無線通信可能な通常状態に設定し、前記基地局装置との間で無線通信可能な前記端末装置のうちの少なくとも一つの前記端末装置がアクティブモードで作動している場合、前記端末装置と無線通信可能な通常状態に設定する制御手段と、
を備える無線通信システム。
【請求項８】
少なくとも１つの端末装置と、当該端末装置と無線通信可能に構成された基地局装置と、を備える無線通信システムに適用され、
予め設定された一部の期間において無線通信不能な待機状態に自装置の状態が設定され、且つ、他の期間において無線通信可能な通常状態に自装置の状態が設定されるパワーセーブモードにて前記端末装置が作動し、
前記パワーセーブモードにて作動する前記端末装置が送信先として設定された個別端末宛データを前記基地局装置が保持し、
予め設定された報知信号送信間隔が経過する毎に、前記基地局装置が、前記個別端末宛データを保持している場合に当該個別端末宛データを送信する予定である旨を表す送信予定情報を含む報知信号を前記端末装置へ送信し、
前記端末装置が、前記基地局装置から前記報知信号を受信した場合において、当該報知信号が前記送信予定情報を含むとき、前記個別端末宛データの送信を要求する旨を表す制御信号を前記基地局装置へ送信し、
前記基地局装置が、前記端末装置から前記制御信号を受信した場合、前記保持している個別端末宛データを当該端末装置へ送信し、
前記基地局装置との間で無線通信可能な前記端末装置のすべてが前記パワーセーブモードにて作動している場合において、当該基地局装置が、前記個別端末宛データを保持していないとき、前記報知信号を送信してから、次に前記報知信号を送信するまでの期間における当該基地局装置の状態を、前記端末装置と無線通信不能な待機状態に設定し、前記基地局装置との間で無線通信可能な前記端末装置のすべてが前記パワーセーブモードにて作動している場合において、当該基地局装置が、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定し、前記基地局装置との間で無線通信可能な前記端末装置のすべてが前記パワーセーブモードにて作動している場合において、前記基地局装置が前記待機状態に設定されている期間以外のすべての期間において、当該期間における当該基地局装置の状態を、前記端末装置と無線通信可能な通常状態に設定し、前記基地局装置との間で無線通信可能な前記端末装置のうちの少なくとも一つの前記端末装置がアクティブモードで作動している場合、前記端末装置と無線通信可能な通常状態に設定する、無線通信制御方法。
【発明の詳細な説明】
【技術分野】
【０００１】
本発明は、端末装置と無線通信可能に構成された基地局装置に関する。
【背景技術】
【０００２】
端末装置と無線通信可能に構成された基地局装置が知られている。
【０００３】
この種の基地局装置の一つとして特許文献１に記載の基地局装置は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）８０２．１１に準拠した基地局装置である。
【０００４】
基地局装置は、パワーセーブモードにて作動する端末装置が送信先として設定された個別端末宛データを保持する。パワーセーブモードは、予め設定された一部の期間において無線通信不能な待機状態（スリープ状態）に端末装置の状態が設定され、且つ、他の期間において無線通信可能な通常状態（アウェイク状態）に端末装置の状態が設定されるモードである。
【０００５】
基地局装置は、予め設定された報知信号送信間隔（ビーコン間隔）が経過する毎に、個別端末宛データを保持している場合に当該個別端末宛データを送信する予定である旨を表す送信予定情報を含む報知信号（ビーコン）を、端末装置へ送信する。
【０００６】
端末装置は、上記送信予定情報を含む報知信号を受信した場合、個別端末宛データの送信を要求する旨を表す制御信号（ＰＳ−Ｐｏｌｌ）を基地局装置へ送信する。
そして、基地局装置は、端末装置から、制御信号を受信した場合、保持している個別端末宛データを当該端末装置へ送信する。
【０００７】
ところで、端末装置は、自装置の状態を待機状態に設定している期間において、無線通信を行うための回路への電力の供給を停止する。これにより、端末装置の状態が、常に通常状態に設定される場合と比較して、端末装置が消費する電力の量を低減することができる。
【先行技術文献】
【特許文献】
【０００８】
【特許文献１】特開２０１０−２６３５４９号公報
【発明の概要】
【発明が解決しようとする課題】
【０００９】
しかしながら、上記基地局装置は、端末装置との間で無線通信を行わない期間においても、自装置の状態が無線通信可能な通常状態に設定されている。従って、上記基地局装置は、電力を無駄に消費してしまうという問題があった。
【００１０】
このため、本発明の目的は、上述した課題である「電力が無駄に消費される場合が生じること」を解決することが可能な基地局装置を提供することにある。
【課題を解決するための手段】
【００１１】
かかる目的を達成するため本発明の一形態である基地局装置は、少なくとも１つの端末装置と無線通信可能に構成された装置である。
【００１２】
更に、この基地局装置は、
予め設定された一部の期間において無線通信不能な待機状態に自装置の状態が設定され、且つ、他の期間において無線通信可能な通常状態に自装置の状態が設定されるパワーセーブモードにて作動する上記端末装置が送信先として設定された個別端末宛データを保持する個別端末宛データ保持手段と、
予め設定された報知信号送信間隔が経過する毎に、上記個別端末宛データを保持している場合に当該個別端末宛データを送信する予定である旨を表す送信予定情報を含む報知信号を、上記端末装置へ送信する報知信号送信手段と、
上記端末装置から、上記個別端末宛データの送信を要求する旨を表す制御信号を受信した場合、当該個別端末宛データを当該端末装置へ送信する個別端末宛データ送信手段と、
上記基地局装置との間で無線通信可能な上記端末装置のすべてが上記パワーセーブモードにて作動している場合において、上記個別端末宛データを保持していないとき、上記報知信号を送信してから、次に上記報知信号を送信するまでの期間における当該基地局装置の状態を、上記端末装置と無線通信不能な待機状態に設定する制御手段と、
を備える。
【００１３】
また、本発明の他の形態である基地局装置制御方法は、
少なくとも１つの端末装置と無線通信可能に構成された基地局装置に適用され、
予め設定された一部の期間において無線通信不能な待機状態に自装置の状態が設定され、且つ、他の期間において無線通信可能な通常状態に自装置の状態が設定されるパワーセーブモードにて作動する上記端末装置が送信先として設定された個別端末宛データを保持し、
予め設定された報知信号送信間隔が経過する毎に、上記基地局装置が、上記個別端末宛データを保持している場合に当該個別端末宛データを送信する予定である旨を表す送信予定情報を含む報知信号を、上記端末装置へ送信し、
上記端末装置から、上記個別端末宛データの送信を要求する旨を表す制御信号を受信した場合、当該個別端末宛データを当該端末装置へ送信し、
上記基地局装置との間で無線通信可能な上記端末装置のすべてが上記パワーセーブモードにて作動している場合において、当該基地局装置が、上記個別端末宛データを保持していないとき、上記報知信号を送信してから、次に上記報知信号を送信するまでの期間における当該基地局装置の状態を、上記端末装置と無線通信不能な待機状態に設定する方法である。
【００１４】
また、本発明の他の形態である基地局装置制御プログラムは、
少なくとも１つの端末装置と無線通信可能に構成された基地局装置に、
予め設定された一部の期間において無線通信不能な待機状態に自装置の状態が設定され、且つ、他の期間において無線通信可能な通常状態に自装置の状態が設定されるパワーセーブモードにて作動する上記端末装置が送信先として設定された個別端末宛データを保持し、
予め設定された報知信号送信間隔が経過する毎に、上記基地局装置が、上記個別端末宛データを保持している場合に当該個別端末宛データを送信する予定である旨を表す送信予定情報を含む報知信号を、上記端末装置へ送信し、
上記端末装置から、上記個別端末宛データの送信を要求する旨を表す制御信号を受信した場合、当該個別端末宛データを当該端末装置へ送信し、
上記基地局装置との間で無線通信可能な上記端末装置のすべてが上記パワーセーブモードにて作動している場合において、当該基地局装置が、上記個別端末宛データを保持していないとき、上記報知信号を送信してから、次に上記報知信号を送信するまでの期間における当該基地局装置の状態を、上記端末装置と無線通信不能な待機状態に設定する、処理を実行させるためのプログラムである。
【００１５】
また、本発明の他の形態である無線通信システムは、少なくとも１つの端末装置と、当該端末装置と無線通信可能に構成された基地局装置と、を備えるシステムである。
【００１６】
更に、
上記端末装置は、予め設定された一部の期間において無線通信不能な待機状態に自装置の状態が設定され、且つ、他の期間において無線通信可能な通常状態に自装置の状態が設定されるパワーセーブモードにて作動するように構成され、
上記基地局装置は、
上記パワーセーブモードにて作動する上記端末装置が送信先として設定された個別端末宛データを保持する個別端末宛データ保持手段と、
予め設定された報知信号送信間隔が経過する毎に、上記個別端末宛データを保持している場合に当該個別端末宛データを送信する予定である旨を表す送信予定情報を含む報知信号を、上記端末装置へ送信する報知信号送信手段と、
を備え、
上記端末装置は、更に、
上記基地局装置から上記報知信号を受信した場合において、当該報知信号が上記送信予定情報を含むとき、上記個別端末宛データの送信を要求する旨を表す制御信号を上記基地局装置へ送信する制御信号送信手段を備え、
上記基地局装置は、更に、
上記端末装置から上記制御信号を受信した場合、上記保持している個別端末宛データを当該端末装置へ送信する個別端末宛データ送信手段と、
上記基地局装置との間で無線通信可能な上記端末装置のすべてが上記パワーセーブモードにて作動している場合において、上記個別端末宛データを保持していないとき、上記報知信号を送信してから、次に上記報知信号を送信するまでの期間における当該基地局装置の状態を、上記端末装置と無線通信不能な待機状態に設定する制御手段と、
を備える。
【００１７】
また、本発明の他の形態である無線通信制御方法は、
少なくとも１つの端末装置と、当該端末装置と無線通信可能に構成された基地局装置と、を備える無線通信システムに適用され、
予め設定された一部の期間において無線通信不能な待機状態に自装置の状態が設定され、且つ、他の期間において無線通信可能な通常状態に自装置の状態が設定されるパワーセーブモードにて上記端末装置が作動し、
上記パワーセーブモードにて作動する上記端末装置が送信先として設定された個別端末宛データを上記基地局装置が保持し、
予め設定された報知信号送信間隔が経過する毎に、上記基地局装置が、上記個別端末宛データを保持している場合に当該個別端末宛データを送信する予定である旨を表す送信予定情報を含む報知信号を上記端末装置へ送信し、
上記端末装置が、上記基地局装置から上記報知信号を受信した場合において、当該報知信号が上記送信予定情報を含むとき、上記個別端末宛データの送信を要求する旨を表す制御信号を上記基地局装置へ送信し、
上記基地局装置が、上記端末装置から上記制御信号を受信した場合、上記保持している個別端末宛データを当該端末装置へ送信し、
上記基地局装置との間で無線通信可能な上記端末装置のすべてが上記パワーセーブモードにて作動している場合において、当該基地局装置が、上記個別端末宛データを保持していないとき、上記報知信号を送信してから、次に上記報知信号を送信するまでの期間における当該基地局装置の状態を、上記端末装置と無線通信不能な待機状態に設定する方法である。
【発明の効果】
【００１８】
本発明は、以上のように構成されることにより、無駄に消費される電力の量を低減することができる。
【図面の簡単な説明】
【００１９】
【図１】本発明の第１実施形態に係る無線通信システムの概略構成を表す図である。
【図２】本発明の第１実施形態に係る基地局装置の構成を表す図である。
【図３】本発明の第１実施形態に係る無線通信システムにおいて予め設定された、報知信号送信間隔、全端末宛データ送信間隔、及び、報知信号受信間隔の一例を示したタイミングチャートである。
【図４】本発明の第１実施形態に係る無線通信システムの機能のうちの本発明に係る機能を表す図である。
【図５】本発明の第１実施形態に係る基地局装置が実行する処理を示したフローチャートである。
【図６】本発明の第２実施形態に係る基地局装置の機能を表す図である。
【発明を実施するための形態】
【００２０】
以下、本発明に係る、基地局装置、基地局装置制御方法、基地局装置制御プログラム、無線通信システム、及び、無線通信制御方法、の各実施形態について図１〜図６を参照しながら説明する。
【００２１】
＜第１実施形態＞
（構成）
図１に示したように、第１実施形態に係る無線通信システム１は、基地局装置１０と、複数の端末装置２０，…と、を備える。なお、無線通信システム１は、端末装置２０を１つだけ備えていてもよい。
【００２２】
基地局装置１０は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）８０２．１１に準拠した、無線ＬＡＮ（Ｌｏｃａｌ  Ａｒｅａ  Ｎｅｔｗｏｒｋ）アクセスポイントを構成する通信装置である。本例では、基地局装置１０は、インフラストラクチャモードにて作動する。
基地局装置１０は、複数の端末装置２０，…のそれぞれとの間で無線通信可能に構成されている。
【００２３】
基地局装置１０は、通信ケーブルを介して通信回線（本例では、ＩＰ（Ｉｎｔｅｒｎｅｔ  Ｐｒｏｔｏｃｏｌ）網を構成する通信回線）ＮＷに接続されている。基地局装置１０は、通信回線ＮＷを介して接続された他の装置と通信可能に構成されている。
【００２４】
各端末装置２０は、ＩＥＥＥ８０２．１１に準拠した、無線ＬＡＮクライアントを構成する通信装置である。本例では、各端末装置２０は、パーソナル・コンピュータである。なお、各端末装置２０は、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、スマートフォン、カーナビゲーション端末、又は、ゲーム端末等であってもよい。
【００２５】
各端末装置２０は、アクティブモード、及び、パワーセーブモード、のいずれかのモードにて作動する。アクティブモードは、端末装置２０（自装置）の状態が、常に、無線通信可能な通常状態（Ａｗａｋｅ）に設定されるモードである。パワーセーブモードは、予め設定された一部の期間において無線通信不能な待機状態（Ｓｌｅｅｐ）に自装置の状態が設定され、且つ、他の期間において自装置の状態が通常状態に設定されるモードである。
【００２６】
無線通信システム１においては、図３に示したように、報知信号送信間隔ＩＮＴ１、全端末宛データ送信間隔ＩＮＴ２、及び、報知信号受信間隔（Ｌｉｓｔｅｎ  Ｉｎｔｅｒｖａｌ）ＩＮＴ３が予め設定されている。報知信号送信間隔ＩＮＴ１は、後述する報知信号（ビーコン）が基地局装置１０から端末装置２０へ送信される間隔である。
【００２７】
全端末宛データ送信間隔ＩＮＴ２は、後述する全端末宛データが基地局装置１０から端末装置２０へ送信される間隔である。全端末宛データ送信間隔ＩＮＴ２は、報知信号送信間隔ＩＮＴ１を整数倍（本例では、５倍）した間隔である。
【００２８】
報知信号受信間隔ＩＮＴ３は、後述する報知信号を、端末装置２０が基地局装置１０から受信する間隔である。報知信号受信間隔ＩＮＴ３は、報知信号送信間隔ＩＮＴ１を整数倍（本例では、３倍）した間隔である。
【００２９】
各端末装置２０は、パワーセーブモードにて作動する場合、全端末宛データ送信間隔ＩＮＴ２が経過する毎に、報知信号が送信されてから、次に報知信号が送信されるまでの期間である全端末宛データ送信期間ＴＡにて、自装置の状態を通常状態に設定する。
【００３０】
更に、各端末装置２０は、パワーセーブモードにて作動する場合、報知信号受信間隔ＩＮＴ３が経過する毎に、報知信号が送信されてから、予め設定された時間（本例では、報知信号送信間隔ＩＮＴ１よりも短い時間）が経過するまでの期間ＴＰにて、自装置の状態を通常状態に設定する。
【００３１】
加えて、各端末装置２０は、全端末宛データ送信期間ＴＡ、及び、上記期間ＴＰ以外の期間にて自装置の状態を待機状態に設定する。端末装置２０は、無線通信を行う回路への電力の供給を停止することにより、自装置の状態を待機状態に設定する。
【００３２】
次に、基地局装置１０についてより詳細に説明する。
図２に示したように、基地局装置１０は、無線ＬＡＮ通信部１００と、システム制御部１１と、有線ＬＡＮ通信部１２と、を備える。
【００３３】
無線ＬＡＮ通信部１００は、複数の端末装置２０，…のそれぞれとの間で無線通信を行う。無線ＬＡＮ通信部１００は、アンテナ１０１と、無線トランシーバ１０２と、ベースバンド処理部１０３と、無線ＬＡＮ制御部１０４と、メモリ１０５と、を備える。
【００３４】
アンテナ１０１は、無線信号としての電波（電磁波）を外部へ放射（送信）するとともに、外部から無線信号としての電波を受信するように構成されている。
【００３５】
無線トランシーバ１０２は、アンテナ１０１を介して受信された無線信号の振幅を調整し、調整された無線信号（アナログ信号）をベースバンド処理部１０３へ出力する。また、無線トランシーバ１０２は、ベースバンド処理部１０３により出力されたアナログ信号の振幅を調整し、調整されたアナログ信号を、アンテナ１０１を介して送信する。
【００３６】
ベースバンド処理部１０３は、無線トランシーバ１０２により出力されたアナログ信号を、予め設定された変調方式（例えば、ＱＰＳＫ（Ｑｕａｄｒａｔｕｒｅ  Ｐｈａｓｅ  Ｓｈｉｆｔ  Ｋｅｙｉｎｇ）方式）に従って、デジタル信号に復調する。ベースバンド処理部１０３は、このデジタル信号を無線ＬＡＮ制御部１０４へ出力する。
【００３７】
また、ベースバンド処理部１０３は、無線ＬＡＮ制御部１０４により出力されたデジタル信号を、上記変調方式に従って、アナログ信号に変調する。ベースバンド処理部１０３は、このアナログ信号を無線トランシーバ１０２へ出力する。
【００３８】
無線ＬＡＮ制御部１０４は、端末装置２０との間の接続の確立、報知信号（ビーコン）の送信、及び、データの送受信等を含む、無線通信を行うための制御を実行する。無線ＬＡＮ制御部１０４のより詳細な機能については、後述する。
【００３９】
メモリ１０５は、無線ＬＡＮ制御部１０４が上記制御を実行するための情報を一時的に保持（記憶）する。また、メモリ１０５は、後述する個別端末宛データを保持する。
【００４０】
システム制御部１１は、基地局装置１０の全体を制御する。システム制御部１１は、有線ＬＡＮ通信部１２により受信されたデータを、無線ＬＡＮ通信部１００へ伝送（ブリッジ）するための処理、及び、基地局装置１０を構成する各部分への電力の供給を制御するための処理等を実行する。
有線ＬＡＮ通信部１２は、通信回線ＮＷを介して接続された他の装置（外部装置）との間の通信を行う。
【００４１】
（機能）
図４は、上記のように構成された無線通信システム１の機能のうちの、本発明に係る機能を表すブロック図である。
【００４２】
基地局装置１０が備える無線ＬＡＮ通信部１００の機能は、個別端末宛データ保持部（個別端末宛データ保持手段）１１１と、報知信号送信部（報知信号送信手段）１１２と、個別端末宛データ送信部（個別端末宛データ送信手段）１１３と、制御部（制御手段）１１４と、全端末宛データ送信部（全端末宛データ送信手段）１１５と、を含む。
端末装置２０の機能は、制御信号送信部（制御信号送信手段）２１を含む。
【００４３】
個別端末宛データ保持部１１１は、パワーセーブモードにて作動する端末装置２０が送信先として設定された個別端末宛データが、基地局装置１０により受信された場合、当該受信された個別端末宛データを保持する（メモリ１０５に記憶させる）。例えば、個別端末宛データは、フレーム、又は、パケットである。本例では、個別端末宛データは、有線ＬＡＮ通信部１２を介して外部装置から受信されたデータである。
【００４４】
個別端末宛データ保持部１１１は、保持している個別端末宛データが個別端末宛データ送信部１１３により送信された場合、当該個別端末宛データをメモリ１０５から消去する（当該個別端末宛データの保持を終了する）。
【００４５】
報知信号送信部１１２は、報知信号送信間隔ＩＮＴ１が経過する毎に（図３の時点ＰＢにて）、報知信号（ビーコン）を、複数の端末装置２０，…のそれぞれへ送信する。なお、報知信号送信部１１２は、パワーセーブモードにて作動する端末装置２０，…のみに報知信号を送信するように構成されていてもよい。
【００４６】
このとき、報知信号送信部１１２は、個別端末宛データ保持部１１１が個別端末宛データを保持している場合、当該個別端末宛データを送信する予定である旨を表す送信予定情報を含む報知信号を送信する。本例では、送信予定情報は、トラフィック通信マップ（ＴＩＭ：Ｔｒａｆｆｉｃ  Ｉｎｄｉｃａｔｉｏｎ  Ｍａｐ）とも呼ばれる。
【００４７】
更に、報知信号送信部１１２は、制御部１１４によって、後述するように、報知信号の送信後に基地局装置１０の状態が待機状態に設定される場合、その旨を表す待機予定情報を含む報知信号を送信する。
【００４８】
制御信号送信部２１は、基地局装置１０から報知信号を受信する。制御信号送信部２１は、受信された報知信号が送信予定情報を含むとき、個別端末宛データの送信を要求する旨を表す制御信号（ＰＳ−Ｐｏｌｌ）を基地局装置１０へ送信する。
【００４９】
個別端末宛データ送信部１１３は、送信予定情報を含む報知信号に応答して端末装置２０，…により送信された制御信号を受信する。個別端末宛データ送信部１１３は、制御信号が受信された場合、個別端末宛データ保持部１１１が保持している個別端末宛データのうちの、当該制御信号を送信してきた端末装置２０が送信先として設定された個別端末宛データを、当該端末装置２０へ送信する。
【００５０】
制御部１１４は、基地局装置１０との間で無線通信可能な（即ち、基地局装置１０との間で無線通信による接続が確立されている）端末装置２０，…の少なくとも１つがアクティブモード（即ち、パワーセーブモード以外のモード）にて作動している場合、常に（すべての期間において）、基地局装置１０の状態を通常状態（Ａｗａｋｅ）に設定する。
【００５１】
通常状態は、端末装置２０，…と無線通信可能な状態である。本例では、基地局装置１０は、無線トランシーバ１０２及びベースバンド処理部１０３を含む、基地局装置１０を構成するすべての部分へ電力を供給することにより、基地局装置１０の状態を通常状態に設定する。
【００５２】
一方、制御部１１４は、基地局装置１０との間で無線通信可能な（即ち、基地局装置１０との間で無線通信による接続が確立されている）端末装置２０，…のすべてがパワーセーブモードにて作動している場合、後述する、第１の待機期間ＴＳ１、及び、第２の待機期間ＴＳ２において、基地局装置１０の状態を待機状態（Ｓｌｅｅｐ）に設定する。
【００５３】
待機状態は、端末装置２０，…と無線通信不能な状態である。本例では、基地局装置１０は、無線トランシーバ１０２及びベースバンド処理部１０３への電力の供給を停止することにより、基地局装置１０の状態を待機状態に設定する。
【００５４】
制御部１１４は、基地局装置１０との間で無線通信可能な端末装置２０，…のすべてがパワーセーブモードにて作動している場合、第１の待機期間ＴＳ１、及び、第２の待機期間ＴＳ２以外のすべての期間において、基地局装置１０の状態を通常状態に設定する。
【００５５】
第１の待機期間ＴＳ１は、報知信号（第１の報知信号）を送信してから、次に報知信号（第１の報知信号に後続する第２の報知信号）を送信するまでの期間のうちの、全端末宛データ送信期間ＴＡ以外の期間であり、且つ、第１の報知信号が送信される時点にて、個別端末宛データ保持部１１１が個別端末宛データを保持していない期間（図３の期間ＴＳ１）である。
【００５６】
即ち、制御部１１４は、基地局装置１０との間で無線通信可能な端末装置２０，…のすべてがパワーセーブモードにて作動している場合において、個別端末宛データ保持部１１１が個別端末宛データを保持していないとき、報知信号を送信してから、次に報知信号を送信するまでの期間における基地局装置１０の状態を待機状態に設定する、と言うことができる。
【００５７】
第２の待機期間ＴＳ２は、報知信号（第１の報知信号）を送信してから、次に報知信号（第１の報知信号に後続する第２の報知信号）を送信するまでの期間のうちの、全端末宛データ送信期間ＴＡ以外の期間であり、且つ、第１の報知信号が送信される時点にて、基地局装置１０との間で無線通信可能な端末装置２０，…のすべての状態が待機状態に設定されている期間（図３の期間ＴＳ２）である。
【００５８】
即ち、制御部１１４は、基地局装置１０との間で無線通信可能な端末装置２０，…のすべてがパワーセーブモードにて作動している場合において、個別端末宛データ保持部１１１が個別端末宛データを保持しているときであっても、報知信号を送信してから、次に報知信号を送信するまでの期間において、当該端末装置２０，…のすべての状態が待機状態に設定されているとき、当該期間における基地局装置１０の状態を待機状態に設定する、と言うことができる。
【００５９】
また、制御部１１４は、全端末宛データ送信期間ＴＡにおいて、基地局装置１０の状態を通常状態に設定する、と言うこともできる。
【００６０】
全端末宛データ送信部１１５は、基地局装置１０との間で無線通信可能な（即ち、基地局装置１０との間で無線通信による接続が確立されている）端末装置２０，…のすべてが送信先として設定された全端末宛データ（例えば、ブロードキャストフレーム、又は、マルチキャストフレーム）を、全端末宛データ送信期間ＴＡにて送信する。本例では、全端末宛データは、無線ＬＡＮ制御部１０４により生成されたデータ、又は、有線ＬＡＮ通信部１２を介して外部装置から受信されたデータである。
【００６１】
即ち、全端末宛データ送信部１１５は、全端末宛データを全端末宛データ送信間隔ＩＮＴ２が経過する毎に、全端末宛データ送信期間ＴＡにて送信する、と言うことができる。
【００６２】
（作動）
次に、上述した無線通信システム１の作動について説明する。
基地局装置１０は、報知信号送信間隔ＩＮＴ１が経過する毎に（図３の時点ＰＢにて）、基地局装置１０の状態を通常状態に設定する。次いで、基地局装置１０は、報知信号を送信するために、図５にフローチャートにより示した処理を実行する。
【００６３】
具体的に述べると、基地局装置１０は、この処理を開始すると、基地局装置１０との間で無線通信可能な（即ち、基地局装置１０との間で無線通信による接続が確立されている）端末装置２０，…のすべてがパワーセーブモードにて作動している（作動中である）か否かを判定する（ステップＳ１０１）。
【００６４】
なお、各端末装置２０，…は、自装置の状態を待機状態に設定する場合、その旨を表す待機移行情報を基地局装置１０へ送信する。本例では、待機移行情報は、送信フレームのフレーム制御フィールドにおけるパワー・マネージメント・ビットである。
【００６５】
先ず、基地局装置１０との間で無線通信可能な端末装置２０，…のすべてがパワーセーブモードにて作動していない（即ち、少なくとも１つの端末装置２０がアクティブモードにて作動している）場合を想定する。
【００６６】
この場合、基地局装置１０は、「Ｎｏ」と判定してステップＳ１０７へ進み、待機予定情報を含まない報知信号を、基地局装置１０との間で無線通信可能な端末装置２０，…のそれぞれへ送信する。
その後、基地局装置１０は、この処理を終了する。
【００６７】
次に、現時点が、図３の時点ｔ０であり、且つ、基地局装置１０との間で無線通信可能な端末装置２０，…のすべてがパワーセーブモードにて作動している場合を想定する。
この場合、基地局装置１０は、ステップＳ１０１にて「Ｙｅｓ」と判定してステップＳ１０２へ進む。
【００６８】
そして、基地局装置１０は、現時点が、全端末宛データ送信期間ＴＡの開始時点であるか否かを判定する。本例では、基地局装置１０は、予め記憶されている、報知信号送信間隔ＩＮＴ１、及び、全端末宛データ送信間隔ＩＮＴ２を表す情報に基づいて、この判定を行う。
【００６９】
この時点ｔ０は、全端末宛データ送信期間ＴＡの開始時点である。従って、基地局装置１０は、「Ｙｅｓ」と判定してステップＳ１０７へ進み、待機予定情報を含まない報知信号を、基地局装置１０との間で無線通信可能な端末装置２０，…のそれぞれへ送信する。
【００７０】
本例では、この時点ｔ０にて、基地局装置１０により送信される報知信号は、ＤＴＩＭ（Ｄｅｌｉｖｅｒｙ  Ｔｒａｆｆｉｃ  Ｉｎｄｉｃａｔｉｏｎ  Ｍｅｓｓａｇｅ）を含む。
その後、基地局装置１０は、この処理を終了する。
【００７１】
そして、基地局装置１０は、全端末宛データ送信期間ＴＡにて、全端末宛データを、基地局装置１０との間で無線通信可能な端末装置２０，…のそれぞれへ送信する。
【００７２】
次に、現時点が、図３の時点ｔ１であり、且つ、基地局装置１０との間で無線通信可能な端末装置２０，…のすべてがパワーセーブモードにて作動している場合を想定する。
この場合、基地局装置１０は、ステップＳ１０１にて「Ｙｅｓ」と判定してステップＳ１０２へ進む。
【００７３】
この時点ｔ１は、全端末宛データ送信期間ＴＡの開始時点でない。従って、基地局装置１０は、ステップＳ１０２にて「Ｎｏ」と判定してステップＳ１０３へ進み、個別端末宛データを保持しているか否かを判定する。
【００７４】
ここでは、基地局装置１０が個別端末宛データを保持している場合を想定する。この場合、基地局装置１０は、ステップＳ１０３にて「Ｙｅｓ」と判定してステップＳ１０６へ進む。そして、基地局装置１０は、基地局装置１０との間で無線通信可能な端末装置２０，…のすべての状態が待機状態であるか否かを判定する。
【００７５】
基地局装置１０は、基地局装置１０との間で無線通信可能な端末装置２０，…のそれぞれから予め受信された、報知信号受信間隔ＩＮＴ３を表す情報（本例では、Ｐｒｏｂｅ  Ｒｅｑｕｅｓｔにおけるフレーム情報）に基づいて、この判定を行う。
【００７６】
ここでは、基地局装置１０との間で無線通信可能な端末装置２０，…のすべての状態が待機状態である場合を想定する。この場合、基地局装置１０は、ステップＳ１０６にて「Ｙｅｓ」と判定してステップＳ１０４へ進む。
【００７７】
次いで、基地局装置１０は、送信予定情報及び待機予定情報を含む報知信号を、基地局装置１０との間で無線通信可能な端末装置２０，…のそれぞれへ送信する。そして、基地局装置１０は、基地局装置１０の状態を待機状態に設定する（ステップＳ１０５）。
その後、基地局装置１０は、この処理を終了する。
【００７８】
次に、現時点が、図３の時点ｔ３であり、且つ、基地局装置１０との間で無線通信可能な端末装置２０，…のすべてがパワーセーブモードにて作動している場合を想定する。
この場合、基地局装置１０は、ステップＳ１０１にて「Ｙｅｓ」と判定してステップＳ１０２へ進む。
【００７９】
この時点ｔ３は、全端末宛データ送信期間ＴＡの開始時点でない。従って、基地局装置１０は、ステップＳ１０２にて「Ｎｏ」と判定してステップＳ１０３へ進み、個別端末宛データを保持しているか否かを判定する。
【００８０】
ここでは、基地局装置１０が個別端末宛データを保持している場合を想定する。この場合、基地局装置１０は、ステップＳ１０３にて「Ｙｅｓ」と判定してステップＳ１０６へ進む。そして、基地局装置１０は、基地局装置１０との間で無線通信可能な端末装置２０，…のすべての状態が待機状態であるか否かを判定する。
【００８１】
ここでは、基地局装置１０との間で無線通信可能な端末装置２０，…の少なくとも１つの状態が通常状態である場合を想定する。この場合、基地局装置１０は、ステップＳ１０６にて「Ｎｏ」と判定してステップＳ１０７へ進み、送信予定情報を含み、且つ、待機予定情報を含まない報知信号を、基地局装置１０との間で無線通信可能な端末装置２０，…のそれぞれへ送信する。
その後、基地局装置１０は、この処理を終了する。
【００８２】
そして、状態が通常状態に設定されている端末装置２０は、基地局装置１０から報知信号を受信する。次いで、端末装置２０は、受信された報知信号が送信予定情報を含むから、制御信号（ＰＳ−Ｐｏｌｌ）を基地局装置１０へ送信する。
【００８３】
一方、基地局装置１０は、端末装置２０から制御信号を受信する。そして、基地局装置１０は、保持している個別端末宛データのうちの、当該制御信号を送信してきた端末装置２０が送信先として設定された個別端末宛データを、当該端末装置２０へ送信する。
【００８４】
そして、端末装置２０は、基地局装置１０から個別端末宛データを受信する。その後、端末装置２０は、端末装置２０の状態を待機状態に設定する。
【００８５】
次に、現時点が、図３の時点ｔ６であり、且つ、基地局装置１０との間で無線通信可能な端末装置２０，…のすべてがパワーセーブモードにて作動している場合を想定する。
この場合、基地局装置１０は、ステップＳ１０１にて「Ｙｅｓ」と判定してステップＳ１０２へ進む。
【００８６】
この時点ｔ３は、全端末宛データ送信期間ＴＡの開始時点でない。従って、基地局装置１０は、ステップＳ１０２にて「Ｎｏ」と判定してステップＳ１０３へ進み、個別端末宛データを保持しているか否かを判定する。
【００８７】
ここでは、基地局装置１０が個別端末宛データを保持していない場合を想定する。この場合、基地局装置１０は、ステップＳ１０３にて「Ｎｏ」と判定してステップＳ１０４へ進む。
【００８８】
次いで、基地局装置１０は、送信予定情報を含まず、かつ、待機予定情報を含む報知信号を、基地局装置１０との間で無線通信可能な端末装置２０，…のそれぞれへ送信する。そして、基地局装置１０は、基地局装置１０の状態を待機状態に設定する（ステップＳ１０５）。
その後、基地局装置１０は、この処理を終了する。
【００８９】
以上、説明したように、本発明の第１実施形態に係る基地局装置１０は、基地局装置１０との間で無線通信可能な端末装置２０，…のすべてがパワーセーブモードにて作動している場合において、個別端末宛データを保持していないとき、報知信号を送信してから、次に報知信号を送信するまでの期間における基地局装置１０の状態を待機状態に設定する。
【００９０】
これによれば、パワーセーブモードにて作動する端末装置２０，…との間の無線通信を妨げることなく、基地局装置１０が消費する電力の量を低減することができる。
【００９１】
更に、本発明の第１実施形態に係る基地局装置１０は、基地局装置１０との間で無線通信可能な端末装置２０，…のすべてがパワーセーブモードにて作動している場合において、個別端末宛データを保持しているときであっても、報知信号を送信してから、次に報知信号を送信するまでの期間において、当該端末装置２０，…のすべての状態が待機状態に設定されているとき、当該期間における基地局装置１０の状態を待機状態に設定する。
【００９２】
ところで、基地局装置１０との間で無線通信可能な端末装置２０，…のすべての状態が待機状態に設定されている場合、基地局装置１０が、送信予定情報を含む報知信号を送信しても、端末装置２０，…が当該報知信号を受信することはない。従って、上記のように基地局装置１０を構成することにより、基地局装置１０が消費する電力の量をより一層低減することができる。
【００９３】
加えて、本発明の第１実施形態に係る基地局装置１０は、基地局装置１０の状態が待機状態に設定される場合、その旨を表す待機予定情報を含む報知信号を、端末装置２０，…へ送信する。
【００９４】
これによれば、基地局装置１０の状態が待機状態に設定される場合、その旨を予め端末装置２０，…へ通知することができる。この結果、例えば、端末装置２０，…が、基地局装置１０へ情報を無駄に送信することを回避することができる。
【００９５】
＜第２実施形態＞
次に、本発明の第２実施形態に係る基地局装置について図６を参照しながら説明する。
第２実施形態に係る基地局装置５００は、少なくとも１つの端末装置と無線通信可能に構成された装置である。
【００９６】
更に、この基地局装置５００は、
予め設定された一部の期間において無線通信不能な待機状態に自装置の状態が設定され、且つ、他の期間において無線通信可能な通常状態に自装置の状態が設定されるパワーセーブモードにて作動する上記端末装置が送信先として設定された個別端末宛データを保持する個別端末宛データ保持部（個別端末宛データ保持手段）５０１と、
予め設定された報知信号送信間隔が経過する毎に、上記個別端末宛データを保持している場合に当該個別端末宛データを送信する予定である旨を表す送信予定情報を含む報知信号を、上記端末装置へ送信する報知信号送信部（報知信号送信手段）５０２と、
上記端末装置から、上記個別端末宛データの送信を要求する旨を表す制御信号を受信した場合、当該個別端末宛データを当該端末装置へ送信する個別端末宛データ送信部（個別端末宛データ送信手段）５０３と、
基地局装置５００との間で無線通信可能な上記端末装置のすべてが上記パワーセーブモードにて作動している場合において、上記個別端末宛データを保持していないとき、上記報知信号を送信してから、次に上記報知信号を送信するまでの期間における基地局装置５００の状態を、上記端末装置と無線通信不能な待機状態に設定する制御部（制御手段）５０４と、
を備える。
【００９７】
これによれば、パワーセーブモードにて作動する端末装置との間の無線通信を妨げることなく、基地局装置５００が消費する電力の量を低減することができる。
【００９８】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００９９】
なお、上記各実施形態において基地局装置１０の各機能は、回路等のハードウェアにより実現されていた。ところで、基地局装置１０は、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１００】
また、上記実施形態の他の変形例として、上述した実施形態及び変形例の任意の組み合わせが採用されてもよい。
【０１０１】
＜付記＞
上記実施形態の一部又は全部は、以下の付記のように記載され得るが、以下には限られない。
【０１０２】
（付記１）
少なくとも１つの端末装置と無線通信可能に構成された基地局装置であって、
予め設定された一部の期間において無線通信不能な待機状態に自装置の状態が設定され、且つ、他の期間において無線通信可能な通常状態に自装置の状態が設定されるパワーセーブモードにて作動する前記端末装置が送信先として設定された個別端末宛データを保持する個別端末宛データ保持手段と、
予め設定された報知信号送信間隔が経過する毎に、前記個別端末宛データを保持している場合に当該個別端末宛データを送信する予定である旨を表す送信予定情報を含む報知信号を、前記端末装置へ送信する報知信号送信手段と、
前記端末装置から、前記個別端末宛データの送信を要求する旨を表す制御信号を受信した場合、当該個別端末宛データを当該端末装置へ送信する個別端末宛データ送信手段と、
前記基地局装置との間で無線通信可能な前記端末装置のすべてが前記パワーセーブモードにて作動している場合において、前記個別端末宛データを保持していないとき、前記報知信号を送信してから、次に前記報知信号を送信するまでの期間における当該基地局装置の状態を、前記端末装置と無線通信不能な待機状態に設定する制御手段と、
を備える基地局装置。
【０１０３】
これによれば、パワーセーブモードにて作動する端末装置との間の無線通信を妨げることなく、基地局装置が消費する電力の量を低減することができる。
【０１０４】
（付記２）
付記１に記載の基地局装置であって、
前記制御手段は、前記基地局装置との間で無線通信可能な前記端末装置のすべてが前記パワーセーブモードにて作動している場合において、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定するように構成された基地局装置。
【０１０５】
基地局装置との間で無線通信可能な端末装置のすべての状態が待機状態に設定されている場合、基地局装置が、送信予定情報を含む報知信号を送信しても、端末装置が当該報知信号を受信することはない。従って、上記のように基地局装置を構成することにより、基地局装置が消費する電力の量をより一層低減することができる。
【０１０６】
（付記３）
付記１又は付記２に記載の基地局装置であって、
前記報知信号送信手段は、前記制御手段によって、前記基地局装置の状態が前記待機状態に設定される場合、その旨を表す待機予定情報を含む前記報知信号を、前記端末装置へ送信するように構成された基地局装置。
【０１０７】
これによれば、基地局装置の状態が待機状態に設定される場合、その旨を予め端末装置へ通知することができる。この結果、例えば、端末装置が、基地局装置へ情報を無駄に送信することを回避することができる。
【０１０８】
（付記４）
付記１乃至付記３のいずれかに記載の基地局装置であって、
前記基地局装置との間で無線通信可能な前記端末装置のすべてが送信先として設定された全端末宛データを、前記報知信号送信間隔を整数倍した全端末宛データ送信間隔が経過する毎に、前記報知信号を送信してから、次に前記報知信号を送信するまでの期間である全端末宛データ送信期間にて送信する全端末宛データ送信手段を備え、
前記制御手段は、前記全端末宛データ送信期間において、前記基地局装置の状態を前記端末装置と無線通信可能な通常状態に設定するように構成された基地局装置。
【０１０９】
（付記５）
付記１乃至付記４のいずれかに記載の基地局装置であって、
インフラストラクチャモードにて作動する基地局装置。
【０１１０】
（付記６）
少なくとも１つの端末装置と無線通信可能に構成された基地局装置に適用され、
予め設定された一部の期間において無線通信不能な待機状態に自装置の状態が設定され、且つ、他の期間において無線通信可能な通常状態に自装置の状態が設定されるパワーセーブモードにて作動する前記端末装置が送信先として設定された個別端末宛データを保持し、
予め設定された報知信号送信間隔が経過する毎に、前記基地局装置が、前記個別端末宛データを保持している場合に当該個別端末宛データを送信する予定である旨を表す送信予定情報を含む報知信号を、前記端末装置へ送信し、
前記端末装置から、前記個別端末宛データの送信を要求する旨を表す制御信号を受信した場合、当該個別端末宛データを当該端末装置へ送信し、
前記基地局装置との間で無線通信可能な前記端末装置のすべてが前記パワーセーブモードにて作動している場合において、当該基地局装置が、前記個別端末宛データを保持していないとき、前記報知信号を送信してから、次に前記報知信号を送信するまでの期間における当該基地局装置の状態を、前記端末装置と無線通信不能な待機状態に設定する、基地局装置制御方法。
【０１１１】
（付記７）
付記６に記載の基地局装置制御方法であって、
前記基地局装置との間で無線通信可能な前記端末装置のすべてが前記パワーセーブモードにて作動している場合において、当該基地局装置が、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定するように構成された基地局装置制御方法。
【０１１２】
（付記８）
少なくとも１つの端末装置と無線通信可能に構成された基地局装置に、
予め設定された一部の期間において無線通信不能な待機状態に自装置の状態が設定され、且つ、他の期間において無線通信可能な通常状態に自装置の状態が設定されるパワーセーブモードにて作動する前記端末装置が送信先として設定された個別端末宛データを保持し、
予め設定された報知信号送信間隔が経過する毎に、前記基地局装置が、前記個別端末宛データを保持している場合に当該個別端末宛データを送信する予定である旨を表す送信予定情報を含む報知信号を、前記端末装置へ送信し、
前記端末装置から、前記個別端末宛データの送信を要求する旨を表す制御信号を受信した場合、当該個別端末宛データを当該端末装置へ送信し、
前記基地局装置との間で無線通信可能な前記端末装置のすべてが前記パワーセーブモードにて作動している場合において、当該基地局装置が、前記個別端末宛データを保持していないとき、前記報知信号を送信してから、次に前記報知信号を送信するまでの期間における当該基地局装置の状態を、前記端末装置と無線通信不能な待機状態に設定する、処理を実行させるための基地局装置制御プログラム。
【０１１３】
（付記９）
付記８に記載の基地局装置制御プログラムであって、
前記処理は、
前記基地局装置との間で無線通信可能な前記端末装置のすべてが前記パワーセーブモードにて作動している場合において、当該基地局装置が、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定するように構成された基地局装置制御プログラム。
【０１１４】
（付記１０）
少なくとも１つの端末装置と、当該端末装置と無線通信可能に構成された基地局装置と、を備える無線通信システムであって、
前記端末装置は、予め設定された一部の期間において無線通信不能な待機状態に自装置の状態が設定され、且つ、他の期間において無線通信可能な通常状態に自装置の状態が設定されるパワーセーブモードにて作動するように構成され、
前記基地局装置は、
前記パワーセーブモードにて作動する前記端末装置が送信先として設定された個別端末宛データを保持する個別端末宛データ保持手段と、
予め設定された報知信号送信間隔が経過する毎に、前記個別端末宛データを保持している場合に当該個別端末宛データを送信する予定である旨を表す送信予定情報を含む報知信号を、前記端末装置へ送信する報知信号送信手段と、
を備え、
前記端末装置は、更に、
前記基地局装置から前記報知信号を受信した場合において、当該報知信号が前記送信予定情報を含むとき、前記個別端末宛データの送信を要求する旨を表す制御信号を前記基地局装置へ送信する制御信号送信手段を備え、
前記基地局装置は、更に、
前記端末装置から前記制御信号を受信した場合、前記保持している個別端末宛データを当該端末装置へ送信する個別端末宛データ送信手段と、
前記基地局装置との間で無線通信可能な前記端末装置のすべてが前記パワーセーブモードにて作動している場合において、前記個別端末宛データを保持していないとき、前記報知信号を送信してから、次に前記報知信号を送信するまでの期間における当該基地局装置の状態を、前記端末装置と無線通信不能な待機状態に設定する制御手段と、
を備える無線通信システム。
【０１１５】
（付記１１）
付記１０に記載の無線通信システムであって、
前記制御手段は、前記基地局装置との間で無線通信可能な前記端末装置のすべてが前記パワーセーブモードにて作動している場合において、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定するように構成された無線通信システム。
【０１１６】
（付記１２）
少なくとも１つの端末装置と、当該端末装置と無線通信可能に構成された基地局装置と、を備える無線通信システムに適用され、
予め設定された一部の期間において無線通信不能な待機状態に自装置の状態が設定され、且つ、他の期間において無線通信可能な通常状態に自装置の状態が設定されるパワーセーブモードにて前記端末装置が作動し、
前記パワーセーブモードにて作動する前記端末装置が送信先として設定された個別端末宛データを前記基地局装置が保持し、
予め設定された報知信号送信間隔が経過する毎に、前記基地局装置が、前記個別端末宛データを保持している場合に当該個別端末宛データを送信する予定である旨を表す送信予定情報を含む報知信号を前記端末装置へ送信し、
前記端末装置が、前記基地局装置から前記報知信号を受信した場合において、当該報知信号が前記送信予定情報を含むとき、前記個別端末宛データの送信を要求する旨を表す制御信号を前記基地局装置へ送信し、
前記基地局装置が、前記端末装置から前記制御信号を受信した場合、前記保持している個別端末宛データを当該端末装置へ送信し、
前記基地局装置との間で無線通信可能な前記端末装置のすべてが前記パワーセーブモードにて作動している場合において、当該基地局装置が、前記個別端末宛データを保持していないとき、前記報知信号を送信してから、次に前記報知信号を送信するまでの期間における当該基地局装置の状態を、前記端末装置と無線通信不能な待機状態に設定する、無線通信制御方法。
【０１１７】
（付記１３）
付記１２に記載の無線通信制御方法であって、
前記基地局装置との間で無線通信可能な前記端末装置のすべてが前記パワーセーブモードにて作動している場合において、当該基地局装置が、前記個別端末宛データを保持しているときであっても、前記報知信号を送信してから、次に前記報知信号を送信するまでの期間において、当該端末装置のすべての状態が前記待機状態に設定されているとき、当該期間における当該基地局装置の状態を、前記端末装置と無線通信不能な待機状態に設定するように構成された無線通信制御方法。
【産業上の利用可能性】
【０１１８】
本発明は、端末装置と無線通信可能に構成された基地局装置等に適用可能である。
【符号の説明】
【０１１９】
１      無線通信システム
１０    基地局装置
１１    システム制御部
１２    有線ＬＡＮ通信部
２０，…  端末装置
２１    制御信号送信部
１００  無線ＬＡＮ通信部
１０１  アンテナ
１０２  無線トランシーバ
１０３  ベースバンド処理部
１０４  無線ＬＡＮ制御部
１０５  メモリ
１１１  個別端末宛データ保持部
１１２  報知信号送信部
１１３  個別端末宛データ送信部
１１４  制御部
１１５  全端末宛データ送信部
５００  基地局装置
５０１  個別端末宛データ保持部
５０２  報知信号送信部
５０３  個別端末宛データ送信部
５０４  制御部
ＮＷ    通信回線
【図１】
0005769233.tif 000002
【図２】
0005769233.tif 000003
【図３】
0005769233.tif 000004
【図４】
0005769233.tif 000005
【図５】
0005769233.tif 000006
【図６】
0005769233.tif 000007